(57)【要約】【課題】多出力ソースドライバを用いて交流駆動したときに生じる映像の輝度差を軽減することができる表示装置を提供することを目的とする。【解決手段】走査信号がアクティブから非アクティブに切り替わってＴＦＴ１１２がオン状態からオフ状態になるときに、極性切替制御信号ＲＥＶをハイレベルからローレベルに反転させる。このため、ＴＦＴ１１２がオン状態からオフ状態になるまでの時間を遅らすことができ、その間の駆動用映像信号ＡＶの電圧の上昇分も画素電極Ｅｐに印加される。この結果、画素容量Ｃｌｃに印加される電圧を目標電圧に近づけることができるので、液晶パネル１１０に表示される映像の輝度差を軽減することができる。【選択図】図９
2009216813.tif 000002
【特許請求の範囲】
【請求項１】
映像を階調表示するアクティブマトリクス型の表示装置であって、
複数の走査信号線と、前記複数の走査信号線と交差する複数の映像信号線と、前記複数の走査信号線および前記複数の映像信号線の交差点にそれぞれ対応してマトリクス状に配置され、対応する走査信号線に印加される走査信号に応じてオン状態またはオフ状態となるスイッチング素子を含む画素形成部とを備える表示部と、
前記複数の走査信号線を選択的に活性化する走査信号線駆動回路と、
表示すべき映像を表す映像信号を前記複数の映像信号線に印加する映像信号線駆動回路と、
前記画素形成部に対向して配置される共通電極を駆動する共通電極駆動回路と、
前記走査信号線駆動回路と、前記映像信号線駆動回路と、前記共通電極駆動回路とを制御するのに必要なタイミング信号を生成する表示制御回路とを備え、
前記表示制御回路は、表示部を交流駆動するために、前記映像信号の電圧の極性を反転させる極性切替制御信号を生成して、前記映像信号線駆動回路に出力するタイミング制御回路を含み、
前記タイミング制御回路は、少なくとも１水平走査期間の前記映像信号に含まれる階調データの階調ごとの出現頻度に応じて、前記極性切替制御信号を反転させるタイミングを前記スイッチング素子をオフ状態にするタイミングに近づけるように調整することを特徴とする、表示装置。
【請求項２】
前記極性切替制御信号は、前記映像信号の電圧を反転させると同時に前記共通電極を駆動する共通電極駆動信号の電圧を反転させ、
前記タイミング制御回路は前記極性切替制御信号を前記映像信号線駆動回路と前記共通電極駆動回路とに出力することを特徴とする、請求項１に記載の表示装置。
【請求項３】
前記表示制御回路は、前記映像信号に含まれる前記階調データを階調ごとにカウントし、カウントされた階調ごとの階調データのカウント数を前記タイミング制御回路に出力するカウンタをさらに含み、
前記タイミング制御回路は、前記カウンタから与えられた前記カウント数に基づいて求めた出現頻度に応じて、前記極性切替制御信号を反転させるタイミングを前記スイッチング素子をオフ状態にするタイミングに近づけるように調整することを特徴とする、請求項１に記載の表示装置。
【請求項４】
前記タイミング制御回路は、前記スイッチング素子をオフ状態にすると同時に前記極性切替制御信号を反転させることを特徴とする、請求項１に記載の表示装置。
【請求項５】
前記タイミング制御回路は前記出現頻度に応じた前記極性切替制御信号の反転タイミングを記憶する第１のレジスタを含むことを特徴とする、請求項１に記載の表示装置。
【請求項６】
前記表示制御回路は、
前記少なくとも１水平走査期間の映像信号を格納するメモリと、
前記少なくとも１水平走査期間の経過後に、前記メモリに格納された前記映像信号が転送される極性切替制御回路とをさらに含み、
前記極性切替制御回路は、前記メモリから転送された前記映像信号に含まれる前記階調データを階調ごとにカウントして前記出現頻度を求め、前記出現頻度のうち最大の出現頻度が所定値よりも大きいとき、前記極性切替制御信号を反転させるタイミングを前記スイッチング素子をオフ状態にするタイミングに近づけるためのタイミング設定信号を前記タイミング制御回路に出力することを特徴とする、請求項１に記載の表示装置。
【請求項７】
前記極性切替制御回路は前記所定値を記憶する第２のレジスタを含むことを特徴とする、請求項６に記載の表示装置。
【請求項８】
前記メモリは２つのラインメモリを含み、
前記２つのラインメモリのうち、いずれか一方のラインメモリが格納された前記映像信号を前記極性切替制御回路に転送しているときに、他方のラインメモリは次の少なくとも前記１水平走査期間の映像信号を格納し始めることを特徴とする、請求項６に記載の表示装置。
【発明の詳細な説明】
【技術分野】
【０００１】
本発明は、アクティブマトリクス型表示装置に関し、さらに詳しくは多出力のソースドライバを備えた交流駆動されるアクティブマトリクス型表示装置に関する。
【背景技術】
【０００２】
従来、中間階調を擬似的に作り出す技術としてフレームレートコントロール（frame rate control：以下「ＦＲＣ」と呼ぶ）が知られている。ＦＲＣは、フレームごとの画面の書き換えと網膜の残像効果を利用する技術で、たとえば１フレームごとにＬ０階調の画面とＬ１階調の画面とを交互に表示することによって、人間の眼にＬ０階調とＬ１階調の中間の階調を見えるようにすることができる。
【０００３】
図２０は、ＦＲＣによってＬ２４階調とＬ２５階調との間の中間階調を擬似的に作り出して、液晶パネル５１０に縦グラデーションを表示する方法を示す図である。図２０を参照して、Ｌ２４階調のパターンとＬ２５階調のパターンとを用いることにより、Ｌ２４階調、Ｌ２４．２５階調、Ｌ２４．５階調、Ｌ２４．７５階調、Ｌ２５階調の各パターンを縦グラデーションによって液晶パネル５１０に表示する方法を説明する。
【０００４】
液晶パネル５１０は水平方向に６個の領域に分割され、各領域は６個のソースドライバ５２１〜５２６によってそれぞれ駆動される。さらに、各領域は左右に分割された２つの領域から構成されているので、液晶パネル５１０は水平方向に１２個の領域に分割されている。
【０００５】
この液晶パネル５１０を線順次駆動すれば、上から順に、１行目のパターンは、１２個の領域がすべてＬ２４階調であるため、Ｌ２４階調で表示される。２行目のパターンは、１２個の領域のうち９個がＬ２４階調、３個がＬ２５階調であるため、Ｌ２４．２５階調で表示される。３行目のパターンは、１２個の領域のうち６個がＬ２４階調、６個がＬ２５階調なので、Ｌ２４．５階調で表示される。以下同様にして、４行目のパターンはＬ２４．７５階調で表示され、５行目のパターンはＬ２５階調で表示される。この結果、Ｌ２４階調からＬ２５階調まで１行ごとにＬ０．５階調ずつ変化するパターンからなる縦グラデーションが表示される。
【０００６】
また、液晶には、直流電圧が印加され続けると劣化するという性質がある。このため、液晶表示装置では、液晶層に交流電圧が印加される。液晶層への交流電圧の印加は、対向電極の電圧を基準としたときの各画素形成部の画素電極の電圧、すなわち画素電極に書き込まれる駆動用映像信号の電圧の極性を反転させることによって行われる。したがって、線順次駆動される液晶表示装置の液晶層に交流電圧を印加するために、共通電極の電圧と駆動用映像信号の電圧とを１水平走査期間ごとに反転させる駆動方式（以下「対向ＡＣ駆動」と呼ぶ）と、共通電極の電圧を一定に保ちつつ駆動用映像信号の電圧を１水平走査期間ごとに反転させる駆動方式（以下「対向ＤＣ駆動」と呼ぶ）とがある。
【０００７】
特許文献１に記載の液晶表示装置は、従来ＦＲＣによって表示されていた中間階調レベルをプログラマブルにパレット化することによって、任意の階調レベルを設定できるようにした階調パレットを備えている。
【特許文献１】特開平８−１２９３６６号公報
【発明の開示】
【発明が解決しようとする課題】
【０００８】
しかしながら、６４２出力のような多出力のソースドライバを用いて、低温（例えば−３０℃）の環境下でＦＲＣにより縦グラデーションを表示させると、図２１に示すように４階調おきに白く浮き上がって見える「すじ」（以下「輝度反転したすじ」と呼ぶ）が発生するという問題がある。また、図２２は、ＦＲＣによって縦グラデーションを表示させたときの輝度の変化を表すグラフである。図２２からわかるように、ＦＲＣによってＬ１２階調からＬ１６階調までＬ０．２５階調ごとに変化させた縦グラデーション表示では、Ｌ１３階調、Ｌ１４階調、Ｌ１５階調の輝度が、その前後の中間階調の輝度から予想される輝度よりも高くなっている。このような輝度の高い階調のパターンは、液晶パネル５１０上で輝度反転したすじとなって表われる。
【０００９】
さらに、図２３は上述の液晶表示装置の液晶パネル５１０にウインドウパターンを表示させたときの図である。図２３に示すように、液晶パネル５１０の中央の複数の領域に、背景とは異なる階調でウインドウパターンを表示させると、ウインドウパターンの両端が表示されたウインドウパターンの外側の領域に、背景の階調とは異なる輝度の領域（以下「ブロック別れ」と呼ぶ）が現れるという問題がある。このような輝度反転したすじやブロック別れは、液晶表示装置を低温の環境下で駆動する場合に顕著に表われるという特徴がある。
【００１０】
特許文献１に記載の液晶表示装置は、階調パレットによって中間階調を表示させるので上述のような問題はなくなるが、ＦＲＣによって表示させる場合と比べて製造コストが高くなるという問題がある。
【００１１】
そこで、本発明は、多出力のソースドライバを備えた表示装置を交流駆動したときに生じる映像の輝度差を軽減することができる表示装置を提供することを目的とする。
【課題を解決するための手段】
【００１２】
第１の発明は、映像を階調表示するアクティブマトリクス型の表示装置であって、
複数の走査信号線と、前記複数の走査信号線と交差する複数の映像信号線と、前記複数の走査信号線および前記複数の映像信号線の交差点にそれぞれ対応してマトリクス状に配置され、対応する走査信号線に印加される走査信号に応じてオン状態またはオフ状態となるスイッチング素子を含む画素形成部とを備える表示部と、
前記複数の走査信号線を選択的に活性化する走査信号線駆動回路と、
表示すべき映像を表す映像信号を前記複数の映像信号線に印加する映像信号線駆動回路と、
前記画素形成部に対向して配置される共通電極を駆動する共通電極駆動回路と、
前記走査信号線駆動回路と、前記映像信号線駆動回路と、前記共通電極駆動回路とを制御するのに必要なタイミング信号を生成する表示制御回路とを備え、
前記表示制御回路は、表示部を交流駆動するために、前記映像信号の電圧の極性を反転させる極性切替制御信号を生成して、前記映像信号線駆動回路に出力するタイミング制御回路を含み、
前記タイミング制御回路は、少なくとも１水平走査期間の前記映像信号に含まれる階調データの階調ごとの出現頻度に応じて、前記極性切替制御信号を反転させるタイミングを、前記スイッチング素子をオフ状態にするタイミングに近づけるように調整することを特徴とする。
【００１３】
第２の発明は、第１の発明において、
前記極性切替制御信号は、前記映像信号の電圧を反転させると同時に前記共通電極を駆動する共通電極駆動信号の電圧を反転させ、
前記タイミング制御回路は前記極性切替制御信号を前記映像信号線駆動回路と前記共通電極駆動回路とに出力することを特徴とする。
【００１４】
第３の発明は、第１の発明において
前記表示制御回路は、前記映像信号に含まれる前記階調データを階調ごとにカウントし、カウントされた階調ごとの階調データのカウント数を前記タイミング制御回路に出力するカウンタをさらに含み、
前記タイミング制御回路は、前記カウンタから与えられた前記カウント数に基づいて求めた出現頻度に応じて、前記極性切替制御信号を反転させるタイミングを前記スイッチング素子をオフ状態にするタイミングに近づけるように調整することを特徴とする。
【００１５】
第４の発明は、第１の発明において、
前記タイミング制御回路は、前記スイッチング素子をオフ状態にすると同時に前記極性切替制御信号を反転させることを特徴とする。
【００１６】
第５の発明は、第１の発明において、
前記タイミング制御回路は前記出現頻度に応じた前記極性切替制御信号の反転タイミングを記憶する第１のレジスタを含むことを特徴とする。
【００１７】
第６の発明は、第１の発明において、
前記表示制御回路は、
前記少なくとも１水平走査期間の映像信号を格納するメモリと、
前記少なくとも１水平走査期間の経過後に、前記メモリに格納された前記映像信号が転送される極性切替制御回路とをさらに含み、
前記極性切替制御回路は、前記メモリから転送された前記映像信号に含まれる前記階調データを階調ごとにカウントして前記出現頻度を求め、前記出現頻度のうち最大の出現頻度が所定値よりも大きいとき、前記極性切替制御信号を反転させるタイミングを前記スイッチング素子をオフ状態にするタイミングに近づけるためのタイミング設定信号を前記タイミング制御回路に出力することを特徴とする。
【００１８】
第７の発明は、第６の発明において、
前記極性切替制御回路は前記所定値を記憶する第２のレジスタを含むことを特徴とする。
【００１９】
第８の発明は、第６の発明において、
前記メモリは２つのラインメモリを含み、
前記２つのラインメモリのうち、いずれか一方のラインメモリが格納された前記映像信号を前記極性切替制御回路に転送しているときに、他方のラインメモリは次の少なくとも１水平走査期間の映像信号を格納し始めることを特徴とする。
【発明の効果】
【００２０】
第１の発明によれば、タイミング制御回路は、映像信号に含まれる階調データの階調ごとの出現頻度に応じて、極性切替制御信号を反転させるタイミングを、スイッチング素子をオフ状態にするタイミングに近づけるので、多出力のソースドライバを用いて交流駆動したときに生じる映像の輝度差を軽減することができる。
【００２１】
第２の発明によれば、対向ＡＣ駆動によって駆動される液晶表示装置でも、多出力のソースドライバを用いて交流駆動したときに生じる映像の輝度差を軽減することができる。
【００２２】
第３の発明によれば、タイミング制御回路は、カウンタによってカウントされた階調ごとの階調データのカウント数に基づいて出現頻度を求め、求めた出現頻度に応じて極性切替制御信号を反転するタイミングをスイッチング素子をオフ状態にするタイミングに近づける。このため、多出力のソースドライバを用いて交流駆動したときに生じる映像の輝度差を細かく調整することができる。
【００２３】
第４の発明によれば、タイミング制御回路は、スイッチング素子をオフ状態にすると同時に極性切替制御信号を反転させるので、映像信号の電圧を目標電圧に近づけるための時間を十分確保することができる。
【００２４】
第５の発明によれば、タイミング制御回路に第１のレジスタを設けることによって、出現頻度に応じた極性切替制御信号を反転させるタイミングを適宜変更することができる。
【００２５】
第６の発明によれば、極性切替制御回路は、求めた映像信号の出現頻度が所定値よりも大きければ、極性切替制御信号を反転させるタイミングをスイッチング素子をオフ状態にするタイミングに近づけるためのタイミング設定信号を、タイミング制御回路に出力する。このため、映像の輝度差が生じるときだけ、極性切替制御信号を反転させるタイミングを調整して輝度差を生じないようにすることができる。
【００２６】
第７の発明によれば、極性切替制御回路に第２のレジスタを設けることにより、映像信号に含まれる階調ごとの階調データのカウント数に応じて極性切替制御信号を反転させるタイミングを調整することができる。
【００２７】
第８の発明によれば、少なくとも１水平走査期間分ごとの映像信号を２つのラインメモリに交互に格納することによって、映像信号の輝度を連続して調整することができる。
【発明を実施するための最良の形態】
【００２８】
＜１．  基礎検討＞
本発明の実施形態に係る液晶表示装置を開発するにあたり、従来の問題点である輝度反転したすじやブロック別れが発生する原因を明らかにし、その改善策を見いだすための基礎検討を行った。
【００２９】
＜１．１  液晶表示装置の全体構成＞
図１は、基礎検討に使用した液晶表示装置１００の構成を示すブロック図である。図１を参照して、液晶表示装置１００の構成を説明する。液晶表示装置１００は、液晶パネル（表示部）１１０と、６４２出力の６個のソースドライバ（映像信号線駆動回路）１２１〜１２６と、ゲートドライバ（走査信号線駆動回路）１３０と、表示制御回路１４０と、共通電極駆動回路１５０とを含む。
【００３０】
液晶パネル１１０には、（６４２×６）本のソースバスライン（映像信号線）Ｓと、ｎ本（ｎは１以上の整数）のゲートバスライン（走査信号線）Ｇとが格子状に配置され、ソースバスラインＳとゲートバスラインＧとの交差点近傍に画素形成部１１１が設けられている。各画素形成部１１１は、対応する交差点を通過するゲートバスラインＧにゲート端子が接続されるとともに、この交差点を通過するソースバスラインＳにソース端子が接続されたスイッチング素子としてのＴＦＴ（Thin Film Transistor）１１２と、そのＴＦＴ１１２のドレイン端子に接続された画素電極Ｅｐと、各画素形成部１１１に共通に設けられた共通電極Ｅｃとを含み、画素電極Ｅｐと共通電極Ｅｃとによって画素容量Ｃｌｃが形成されている。
【００３１】
表示制御回路１４０は、外部から入力されるデジタルビデオ信号ＤＶと、垂直同期信号ＶＳＹＮＣと水平同期信号ＨＳＹＮＣとを受け取り、デジタル映像信号ＤＡと、ソーススタートパルス信号ＳＳＰと、ソースクロック信号ＳＣＫと、ラッチストローブ信号ＬＳと、極性切替制御信号ＲＥＶとをソースドライバ１２１〜１２６に出力する。また、ゲートスタートパルス信号ＧＳＰとゲートクロック信号ＧＣＫとをゲートドライバ１３０に出力し、極性切替制御信号ＲＥＶを共通電極駆動回路１５０に出力する。
【００３２】
６個のソースドライバ１２１〜１２６は、それぞれ水平方向に６分割された液晶パネル１１０の領域をそれぞれ駆動する。各ソースドライバ１２１〜１２６は、表示制御回路１４０から出力されたデジタル映像信号ＤＡと、ソーススタートパルス信号ＳＳＰと、ソースクロック信号ＳＣＫと、ラッチストローブ信号ＬＳと、極性切替制御信号ＲＥＶとを後続のソースドライバ１２１〜１２６に順次転送する。そして、各ソースドライバ１２１〜１２６は、後述の内蔵する駆動用映像信号生成回路によって、デジタル映像信号ＤＡからアナログ信号である駆動用映像信号ＡＶに変換し、それぞれ対応するソースバスラインＳｉ（ｉは１以上ｎ以下の整数）に出力する。
【００３３】
ゲートドライバ１３０は、表示制御回路１４０から出力されたゲートスタートパルス信号ＧＳＰとゲートクロック信号ＧＣＫとに基づいて、各ゲートバスラインＧｉを１水平走査期間ずつ順次選択するためのアクティブな走査信号を各ゲートバスラインＧｉに順に出力する。
【００３４】
共通電極駆動回路１５０は、表示制御回路１４０から極性切替制御信号ＲＥＶを受け取り、駆動用映像信号ＡＶの電圧の極性と同じ極性の電圧を共通電極Ｅｃに印加する。
【００３５】
＜１．２  液晶表示装置の駆動方法＞
図２は、液晶表示装置１００を対向ＡＣ駆動によって線順次駆動する場合のタイミングチャートである。図２を参照して、液晶表示装置１００を対向ＡＣ駆動によって線順次駆動する方法を説明する。
【００３６】
駆動用映像信号ＡＶの電圧の極性と共通電極Ｅｃの電圧Ｖｃｏｍの極性は、極性切替制御信号ＲＥＶによって同じ方向に同時に反転される。以下の説明では、極性切替制御信号ＲＥＶがローレベルからハイレベルに反転したときに共通電極Ｅｃの電圧が駆動用映像信号ＡＶの電圧よりも高くなり、極性切替制御信号ＲＥＶがハイレベルからローレベルに反転したときに共通電極Ｅｃの電圧が駆動用映像信号ＡＶの電圧よりも低くなるとする。
【００３７】
また、駆動用映像信号ＡＶの電圧は、ＴＦＴ１１２がオン状態になることによって画素電極Ｅｐに書き込まれるので、共通電極Ｅｃの電圧Ｖｃｏｍと駆動用映像信号ＡＶの電圧との差の電圧が画素容量Ｃｌｃに印加される。このため、極性切替制御信号ＲＥＶがローレベルからハイレベルに反転したときに画素容量Ｃｌｃに印加される電圧の極性と、極性切替制御信号ＲＥＶがハイレベルからローレベルに反転したときに画素容量Ｃｌｃに印加される電圧の極性とは逆になり、画素形成部１１１は交流駆動される。
【００３８】
第１のフレーム期間Ｔ１では、各ゲートバスラインＧｉごとに極性切替制御信号ＲＥＶの極性が交互に反転するので、共通電極Ｅｃの電圧Ｖｃｏｍと駆動用映像信号ＡＶの電圧の極性も、各ゲートバスラインＧｉごとに交互に反転する。このため、画素容量Ｃｌｃに印加される電圧の極性は、各ゲートバスラインＧｉごとに逆になる。
【００３９】
第２のフレーム期間Ｔ２では、各ゲートバスラインＧｉごとの極性切替制御信号ＲＥＶの極性の反転が第１のフレーム期間Ｔ１の場合とは逆になるので、各ゲートバスラインＧｉごとに画素容量Ｃｌｃに印加される電圧の極性も、第１のフレーム期間Ｔ１とは逆になる。
【００４０】
以下奇数番目のフレーム期間では、第１のフレーム期間Ｔ１と同様に、偶数番目のフレーム期間では第２のフレーム期間Ｔ２と同様に、それぞれ画素容量Ｃｌｃに印加される電圧の極性が逆になる。このため、同じゲートバスラインＧｉに接続された画素容量Ｃｌｃに注目すると、印加される電圧の極性は、フレーム期間ごとに逆になり、画素形成部１１１は交流駆動される。
【００４１】
＜１．３  駆動用映像信号生成回路＞
図３は、各ソースドライバ１２１〜１２６にそれぞれに含まれている、６４階調の駆動用映像信号ＡＶを生成するための駆動用映像信号生成回路１２０の回路図である。この駆動用映像信号生成回路１２０は、６４階調の階調基準電圧に基づいて駆動用映像信号ＡＶを生成し、６４２本のソースバスラインＳ１〜Ｓ６４２に出力する。駆動用映像信号生成回路１２０では、階調基準電圧の極性が極性切替制御信号ＲＥＶによって１水平走査期間ごとに反転するので、駆動用映像信号ＡＶの極性も１水平走査期間ごとに反転する。
【００４２】
図３に示すように、駆動用映像信号生成回路１２０は、画素形成部１１１を交流駆動するための２本のラダー抵抗Ｒ１、Ｒ２と、６４本の階調電圧配線Ｌ０〜Ｌ６３と、６４２個のスイッチＳＷ１〜ＳＷ６４２と、６４２個のオペアンプＯＰ１〜ＯＰ６４２とを備えている。
【００４３】
ラダー抵抗Ｒ１、Ｒ２の一端には５．３Ｖの電圧が与えられ、他端は接地されている。ラダー抵抗Ｒ１、Ｒ２の両端にはそれぞれアナログスイッチＡＳＷ１〜ＡＳＷ４が設けられている。アナログスイッチＡＳＷ１、ＡＳＷ２に極性切替制御信号ＲＥＶが与えられ、アナログスイッチＡＳＷ３、ＡＳＷ４に極性切替制御信号ＲＥＶの反転信号／ＲＥＶ信号（「／」は反転信号を示す）が与えられる。アナログスイッチＡＳＷ１〜ＡＳＷ４は、極性切替制御信号ＲＥＶ、／ＲＥＶがハイレベルのときオン状態になり、ローレベルのときオフ状態になる。したがって、アナログスイッチＡＳＷ１、ＡＳＷ２がオン状態になるときにはアナログスイッチＡＳＷ３、ＡＳＷ４はオフ状態になり、逆にアナログスイッチＡＳＷ１、ＡＳＷ２がオフ状態になるときにはアナログスイッチＡＳＷ３、ＡＳＷ４はオン状態になる。
【００４４】
ラダー抵抗Ｒ１、Ｒ２は、抵抗分割によってそれぞれ６４階調の各階調基準電圧ＶＨ１〜ＶＨ６４、ＶＬ１〜ＶＬ６４を生成する。そして、生成された各階調基準電圧ＶＨ１〜ＶＨ６４、ＶＬ１〜ＶＬ６４のうち、階調基準電圧ＶＨ１とＶＬ１の出力端子とは階調電圧配線Ｌ１に接続され、階調基準電圧ＶＨ２とＶＬ２の出力端子とは階調電圧配線Ｌ２に接続され、以下同様にして各階調基準電圧の出力端子は対応する各階調電圧配線に接続され、階調基準電圧ＶＨ６４とＶＬ６４の出力端子とは階調電圧配線Ｌ６４に接続されている。なお、図が見にくくならないようにするため、図３では、Ｌ２３階調とＬ２４階調の階調基準電圧ＶＨ２３、ＶＨ２４、ＶＬ２３、ＶＬ２４を出力するのに必要な構成要素のみを示し、他の階調基準電圧を出力するのに必要な構成要素の記載を省略する。
【００４５】
極性切替制御信号ＲＥＶがハイレベルのときには、ラダー抵抗Ｒ１から階調電圧配線Ｌ２３にＬ２３階調の階調基準電圧ＶＨ２３が出力され、階調電圧配線Ｌ２４にＬ２４階調の階調基準電圧ＶＨ２４が出力される。一方、極性切替制御信号ＲＥＶがローレベルのときには、極性切替制御信号／ＲＥＶがハイレベルになるので、ラダー抵抗Ｒ２から階調電圧配線Ｌ２３にＬ２３階調の階調基準電圧ＶＬ２３が出力され、階調電圧配線Ｌ２４にＬ２４階調の階調基準電圧ＶＬ２４が出力される。
【００４６】
また、各スイッチＳＷ１〜ＳＷ６４２は、その一端が階調電圧配線Ｌ１〜Ｌ６４のいずれかに接続されるように切り替えられ、他端はボルテージフォロワとして機能するオペアンプＯＰ１〜ＯＰ６４２を介してそれぞれ各ソースバスラインＳ１〜Ｓ６４２に接続されている。デジタル映像信号ＤＡがスイッチＳＷ１〜ＳＷ６４２に与えられると、スイッチＳＷ１〜ＳＷ６４２はデジタル映像信号ＤＡに含まれる階調データに対応する階調基準電圧に切り替えられる。その結果、Ｌ１階調〜Ｌ６４階調のいずれかの階調の駆動用映像信号ＡＶがソースバスラインＳ１〜Ｓ６４２に出力される。
【００４７】
スイッチＳＷ１〜ＳＷ６４２はそれぞれオン抵抗Ｒｏｎを有し、またソースバスラインＳ１〜Ｓ６４２はそれぞれ接地端子との間に寄生容量Ｃを有している。したがって、ソースバスラインＳ１〜Ｓ６４２に出力される駆動用映像信号ＡＶの極性が、極性切替制御信号ＲＥＶによって反転すると、オン抵抗Ｒｏｎと寄生容量Ｃとによって決まる時定数によってその波形が鈍る。特に、同じ階調の駆動用映像信号ＡＶを出力するソースバスラインの本数が多くなるほど、ソースバスラインに接続されたスイッチのオン抵抗Ｒｏｎと寄生容量Ｃの個数も多くなる。このため、時定数が大きくなるので、それに伴って駆動用映像信号ＡＶの極性が反転するときの波形の鈍りも大きくなる。
【００４８】
＜１．４  輝度差発生原因の検討＞
図３に示す駆動用映像信号生成回路１２０では、６４２個のスイッチＳＷ１〜ＳＷ６４２によって、各ソースバスラインＳ１〜Ｓ６４２はすべて階調電圧配線Ｌ２４に接続されている。この場合、極性切替制御信号ＲＥＶがローレベルからハイレベルに反転したとき、階調電圧配線Ｌ２４に与えられる電圧はラダー抵抗Ｒ２を分割した階調基準電圧ＶＬ２４からラダー抵抗Ｒ１を分割した階調基準電圧ＶＨ２４に切り替わる。
【００４９】
具体的には、例えば図５に示すように２．０Ｖから３．０Ｖに切り替わる。このとき、階調電圧配線Ｌ２４側から見ると、オン抵抗Ｒｏｎと寄生容量Ｃとがそれぞれ６４２個ずつ存在するので、各ソースバスラインＳ１〜Ｓ６４２に出力される駆動用映像信号ＡＶの波形は図５に示すように鈍る。このため、極性切替制御信号ＲＥＶをハイレベルに反転させても、目標電圧である３Ｖに上昇するまで時間を要し、それまでにＴＦＴ１１２はオフ状態になってしまう。
【００５０】
したがって、画素形成部１１１に書き込まれる電圧は目標電圧よりも低くなるので、画素容量Ｃｌｃに印加される電圧は本来のＬ２４階調を表示するために必要とされる階調基準電圧ＶＨ２４よりも高くなる。この結果、液晶パネル１１０がノーマリブラックタイプの場合、液晶パネル１１０に表示されるＬ２４階調の映像の輝度は、本来のＬ２４階調の映像の輝度よりも高く表示されるので、輝度反転したすじやブロック別れが発生する。
【００５１】
図４は、図３の駆動用映像信号生成回路１２０において、スイッチＳＷ１〜Ｓ６４２の接続を変えた場合の回路図である。図４に示す駆動用映像信号生成回路１２０では、６４２個のスイッチＳＷ１〜ＳＷ６４２のうち３２１個のスイッチＳＷ１〜ＳＷ３２１が階調電圧配線Ｌ２４に、残りの３２１個のスイッチＳＷ３２２〜ＳＷ６４２が階調電圧配線Ｌ２３にそれぞれ接続されている。
【００５２】
極性切替制御信号ＲＥＶがローレベルからハイレベルに反転したとき、階調電圧配線Ｌ２４に与えられる電圧はラダー抵抗Ｒ２を分割した階調基準電圧ＶＬ２４からラダー抵抗Ｒ１を分割した階調基準電圧ＶＨ２４に切り替わる。具体的には、例えば図６に示すように２．０Ｖから３．０Ｖに切り替わる。しかし、Ｌ２４階調電圧配線Ｌ２４側から見ると、オン抵抗Ｒｏｎと寄生容量Ｃとがそれぞれ図３の場合の半分の３２１個ずつしか存在しない。したがって、図３の場合と比べて時定数が小さくなるので、各ソースバスラインＳ１〜Ｓ３２１に出力される駆動用映像信号ＡＶの波形は、図６に示すように、図５の場合よりも急峻に立ち上がり、目標電圧である３Ｖに近い電圧まで短時間で上昇する。このため、画素電極Ｅｐに書き込まれる駆動用映像信号ＡＶの電圧は本来のＬ２４階調を表示するために必要な階調基準電圧ＶＨ２４とほぼ等しくなる。この結果、液晶パネル１１０がノーマリブラックタイプの場合、液晶パネル１１０に表示されるＬＨ２４階調の映像の輝度は図３の場合よりも低くなり、輝度反転したすじやブロック別れが目立たなくなる。
【００５３】
図７は、６４２本のソースバスラインＳ１〜Ｓ６４２のうち、同じ階調電圧配線に接続されたソースバスラインの出現頻度（ソースバスラインＳ１〜Ｓ６４２に占める、同じ階調の駆動用映像信号ＡＶが出力されるソースバスラインの割合）ごとに、駆動用映像信号ＡＶの電圧が目標電圧になるまでの駆動用映像信号ＡＶの波形を示す図である。図７に示すように、極性切替制御信号ＲＥＶがハイレベルに反転すると、駆動用映像信号ＡＶの電圧は、十分な時間があればほぼ目標電圧にまで上昇する。
【００５４】
しかし、同じ階調の出現頻度が２０％、５０％、１００％と大きくなるにしたがって、目標電圧まで上昇するのに要する時間が長くなる。このため、ＴＦＴ１１２をオフ状態にする時点で見ると、出現頻度が２０％の場合、駆動用映像信号ＡＶの電圧はすでにほぼ目標電圧にまで上昇しているのに対して、出現頻度が５０％の場合は目標電圧よりも低く、出現頻度が１００％の場合にはさらに低いことがわかる。
【００５５】
これらのことから、階調電圧配線側から見たオン抵抗Ｒｏｎと寄生容量Ｃの個数が多い場合、画素形成部１１１を交流駆動すると、駆動用映像信号ＡＶの極性を反転させたときの波形の立ち上がりが鈍る。このため、駆動用映像信号ＡＶの電圧が目標電圧まで上昇しないうちに、ＴＦＴ１１２はオフ状態にされる。したがって、液晶パネル１１０に表示される映像の輝度は、本来表示されるべき輝度に比べて高くなることがわかった。
【００５６】
輝度反転したすじやブロック別れは、液晶表示装置１００を低温の環境下で動作させた場合に顕著に現れる。これは、低温では、波形が鈍っている駆動用映像信号ＡＶに対して、ＴＦＴ１１２のソース端子とドレイン端子との間の抵抗値が高くなるので、画素電極Ｅｐの電圧が目標電圧まで到達しにくくなることが原因と考えられている。
【００５７】
＜１．５  輝度差の改善方法＞
上記検討結果に基づいて、液晶パネル１１０に表示された、輝度反転したすじやブロック別れを改善する方法について説明する。図８は、１水平走査期間における極性切替制御信号ＲＥＶを反転するタイミングとＴＦＴ１１２のゲート端子に印加される走査信号との関係を示す信号波形図であり、図９は１水平走査期間における極性切替制御信号ＲＥＶを反転するタイミングとＴＦＴ１１２のゲート端子に印加する走査信号との他の関係を示す信号波形図である。
【００５８】
図８に示すように、極性切替制御信号ＲＥＶがローレベルからハイレベルに反転することによって、駆動用映像信号ＡＶの電圧および共通電極Ｅｃの電圧Ｖｃｏｍの極性が反転し、共通電極Ｅｃの電圧Ｖｃｏｍが駆動用映像信号ＡＶの電圧よりも高くなる。このとき、共通電極Ｅｃの電圧Ｖｃｏｍは直ちに立ち上がる。しかし、同じ階調の駆動用映像信号ＡＶが出力されるソースバスラインの本数が多ければ、スイッチのオン抵抗Ｒｏｎの個数とソースバスラインの寄生容量Ｃの個数によって決まる時定数が大きくなる。このため、駆動用映像信号ＡＶの極性が反転しても、その波形が鈍るので立ち上がりが遅くなり、駆動用映像信号ＡＶの電圧が目標電圧になるまでに要する時間が長くなる。
【００５９】
一方、ＴＦＴ１１２は、ゲートバスラインＧｉに与えられる走査信号がアクティブになったときにオン状態になり、非アクティブになったときにオフ状態になる。図８では、極性切替制御信号ＲＥＶ信号がハイレベルに反転してから、駆動用映像信号ＡＶの電圧が目標電位まで上昇するまでに、走査信号が非アクティブになる。このため、共通電極Ｅｃの電圧Ｖｃｏｍと、ＴＦＴ１１２がオフ状態になったときの駆動用映像信号ＡＶの電圧との電圧差は、目標電圧差である１．５Ｖよりも大きく、例えば１．７Ｖとなる。したがって、この駆動用映像信号ＡＶによって表示される映像の輝度は、本来の輝度よりも高くなる。この場合、駆動用映像信号ＡＶの電圧は、走査信号が非アクティブになった後も、極性切替制御信号ＲＥＶがローレベルに反転するまでさらに上昇する。しかし、このときＴＦＴ１１２はオフ状態になっているので、この間の上昇電圧分を画素電極Ｅｐに書き込むことはできない。
【００６０】
そこで、図９に示すように、走査信号がアクティブから非アクティブになってＴＦＴ１１２がオン状態からオフ状態になるときに極性切替制御信号ＲＥＶもハイレベルからローレベルに切り替わるように、極性切替制御信号ＲＥＶのタイミングを調整する。この結果、図８の場合に比べてＴＦＴ１１２がオン状態からオフ状態になるまでの時間を遅らすことができるので、その間に駆動用映像信号ＡＶの電圧は上昇し、目標電圧により近づくことができる。このため、画面に表示される映像の輝度差を軽減することができる。このように、図８の場合と異なり、極性切替制御信号ＲＥＶがローレベルに反転するまで駆動用映像信号ＡＶの電圧も上昇するので、その間の駆動用映像信号ＡＶの上昇電圧分も画素電極Ｅｐに書き込むことができる。
【００６１】
＜１．６  対向ＤＣ駆動＞
次に、液晶表示装置を対向ＤＣ駆動によって線順次駆動をする場合について説明する。図１０は、対向ＤＣ駆動によって線順次駆動される液晶表示装置２００の構成を示すブロック図である。液晶表示装置２００は、図１のソースドライバ１２１〜１２６をソースドライバ２２１〜２２６に、表示制御回路１４０を表示制御回路２４０に、共通電極駆動回路１５０を共通電極駆動回路２５０にそれぞれ置き換え、表示制御回路２４０から共通電極駆動回路２５０に与えられる信号も極性切替制御信号ＲＥＶから共通電極制御信号ＶＣに変っている点を除いて、図１の液晶表示装置１００と同じ構成である。そこで、液晶表示装置１００と同じ構成要素については同じ参照番号を付し、その説明を省略する。
【００６２】
図１１は、液晶表示装置２００の駆動方法を示すタイミングチャートである。図１１に示すタイミングチャートでは、図２のタイミングチャートと異なり、共通電極の電位Ｖｃｏｍは一定である。したがって、極性切替制御信号ＲＥＶが反転したときに反転するのは、駆動用映像信号ＡＤの極性だけである。
【００６３】
図１２は、各ソースドライバ２２１〜２２６にそれぞれに含まれている、６４階調の駆動用映像信号ＡＶを生成するための駆動用映像信号生成回路２２０の回路図である。この駆動用映像信号生成回路２２０は、駆動用映像信号生成回路１２０と異なり、１本のラダー抵抗Ｒ３だけを備え、抵抗分割によって生じる６４階調の階調基準電圧のうち、共通電極Ｅｃの電圧Ｖｃｏｍよりも高い階調基準電圧をそれぞれＶＨ１〜ＶＨ６４とし、共通電極Ｅｃの電圧Ｖｃｏｍよりも低い階調基準電圧をそれぞれＶＬ１〜ＶＬ６４とする。それぞれの階調基準電圧ＶＨ１〜ＶＨ６４、ＶＬ１〜ＶＬ６４を出力する端子は、基準電圧切替スイッチＳＷＶ１〜ＳＷＶ６４の一端に接続され、基準電圧切替スイッチＳＷＶの他端は、対応する各階調電圧配線に接続されている。具体的には、Ｌ２３階調の階調基準電圧ＶＨ２３、ＶＬ２３を切り替える基準電圧切替スイッチＳＷＶ２３に一端は、階調基準電圧ＶＨ２３、ＶＬ２３をそれぞれ出力する端子に接続され、他端は階調電圧配線Ｌ２３に接続されている。またＬ２４階調の階調基準電圧ＶＨ２４、ＶＬ２４を切り替える基準電圧切替スイッチＳＷＶ２４の一端は、階調基準電圧ＶＨ２３、ＶＬ２３をそれぞれ出力する端子に接続され、他端は階調電圧配線Ｌ２４に接続されている。基準電圧切替スイッチＳＷＶ１〜ＳＷＶ６４は、表示制御回路２４０から与えられる極性切替制御信号によって、一斉に階調基準電圧ＶＨ１〜ＶＨ６４に切り替わったり、階調基準電圧ＶＬ１〜ＶＬ６４に切り替わったりする。したがって、１水平走査期間ごとに極性切替制御信号ＲＥＶを反転させることにより、駆動用映像信号ＡＶの電圧も１水平走査期間ごとに反転させることができる。なお、スイッチＳＷ１〜ＳＷ６４２、オペアンプＯＰ１〜ＯＰ６４２、寄生容量Ｃはいずれも駆動用映像信号生成回路１２０と同じであるため、同じ参照符号を付してその説明を省略する。
【００６４】
図１３は、対向ＤＣ駆動によって線順次駆動する場合の１水平走査期間における極性切替制御信号ＲＥＶを反転するタイミングとＴＦＴ１１２のゲート端子に印加する走査信号の波形との関係を示す信号波形図であり、図１４は対向ＤＣ駆動の場合の１水平走査期間における極性切替制御信号ＲＥＶを反転するタイミングとＴＦＴ１１２のゲート端子に印加する走査信号の波形との他の関係を示す信号波形図である。
【００６５】
図１３に示すように、極性切替制御信号ＲＥＶがローレベルからハイレベルに反転することによって、ソースバスラインに与えられる駆動用映像信号ＡＶの電圧の極性が反転する。このとき、同じ階調の駆動用映像信号ＡＶが出力されるソースバスラインの本数が多ければ時定数が大きくなるので、図８の場合と同様にその波形が鈍る。このため、駆動用映像信号ＡＶの電圧が目標電圧になるまでに、ＴＦＴ１１２はオフ状態になる。この場合、駆動用映像信号ＡＶの電圧は、走査信号が非アクティブになった後も、極性切替制御信号ＲＥＶがローレベルに反転するまでさらに下降する。しかし、このときＴＦＴ１１２はオフ状態になっているので、この間の下降電圧分を画素電極Ｅｐに書き込むことはできない。したがって、共通電極Ｅｃの電圧Ｖｃｏｍと画素容量Ｃｌｃに印加される電圧との電圧差も目標電圧差である１．５Ｖに比べて１．７Ｖと大きくなり、ノーマリブラックタイプの表示パネル１１０であれば、本来の輝度よりも高い輝度の映像が表示される。
【００６６】
そこで、図１４に示すように、走査信号がアクティブから非アクティブになってＴＦＴ１１２がオン状態からオフ状態になるときに極性切替制御信号ＲＥＶもハイレベルからローレベルに反転させる。この場合には、図１３の場合に比べてＴＦＴ１１２がオン状態からオフ状態になるタイミングを遅らせることができるので、その間に駆動用映像信号ＡＶの電圧は下降し、共通電極Ｅｃの電圧Ｖｃｏｍとの目標電圧差である１．５Ｖにより近づくことができる。このため、画面に表示される映像の輝度差を軽減することができる。このように、図１３の場合と異なり、駆動用映像信号ＡＶの電圧は、極性切替制御信号ＲＥＶがローレベルに反転するまで下降するので、その間の駆動用映像信号ＡＶの下降電圧分も画素電極Ｅｐに書き込むことができる。
【００６７】
なお、同じ線順次駆動であっても、対向ＤＣ駆動は対向ＡＣ駆動に比べて、駆動用映像信号ＡＶの電圧を反転させたときの目標電圧との差が大きい。このため、対向ＤＣ駆動は、対向ＡＣ駆動よりも、オン抵抗Ｒｏｎと寄生容量Ｃによる時定数の影響を受けやすく、映像の輝度差が生じやすい。
【００６８】
上述の基礎検討によって、対向ＡＣ駆動または対向ＤＣ駆動による線順次駆動をした場合、いずれの場合もＴＦＴ１１２をオフ状態にするときに同時に極性切替制御信号ＲＥＶの極性を反転させるようにすれば、画面に表示される映像の輝度差を軽減できることがわかった。
【００６９】
なお、極性切替制御信号ＲＥＶの極性を反転させるのは、ＴＦＴをオフ状態にするときと同時でなくても、それよりも少し遅れてもよい。この場合、映像の輝度差を最も軽減できるのは、ＴＦＴをオフ状態にするときに同時に極性切替制御信号ＲＥＶの極性を反転させるときであり、それよりも極性切替制御信号ＲＥＶの極性を反転させるタイミングが遅くなればなるほど、映像の輝度差も軽減されにくくなる。
【００７０】
＜２．第１の実施形態＞
＜２．１  全体構成＞
図１５は、本発明の第１の実施形態に係る液晶表示装置３００の構成を示すブロック図である。液晶表示装置３００は、液晶表示装置１００の表示制御回路１４０を表示制御回路３４０に置換したことを除いて、液晶表示装置１００の構成と同じである。このため、液晶表示装置１００の構成要素と同じ構成要素については、同じ参照符号を付してその説明を省略する。また、この液晶表示装置３００も対向ＡＣ駆動によって線順次駆動されるので、その駆動方法は液晶表示装置１００の駆動方法と同じである。このため、タイミングチャートも省略する。
【００７１】
＜２．２  表示制御回路＞
図１６は、第１の実施形態に係る表示制御回路３４０の構成を示すブロック図である。図１６に示すように、この表示制御回路３４０は、タイミング信号生成回路３４１と、データ処理回路３４２と、ラインメモリ３４３と、極性切替制御回路３４４と、タイミング制御回路３４５とを備えている。
【００７２】
外部からタイミング信号生成回路３４１に垂直同期信号ＶＳＹＮＣおよび水平同期信号ＨＳＹＮＣが与えられると、タイミング信号生成回路３４１は、それらの信号に基づき、ゲートスタートパルス信号ＳＳＰ、ゲートクロック信号ＧＣＫ、ソーススタートパルス信号ＳＳＰおよびソースクロック信号ＳＣＫ、ラッチストローブ信号ＬＳを生成し、ゲートスタートパルス信号ＳＳＰとゲートクロック信号ＧＣＫとをゲートドライバ１３０に、ソーススタートパルス信号ＳＳＰと、ソースクロック信号ＳＣＫと、ラッチストローブ信号ＬＳと、極性切替制御信号ＲＥＶをソースドライバ１２１〜１２６に、極性切替制御信号ＲＥＶを共通電極駆動回路１５０にそれぞれ出力する。また、データ処理回路３４２の動作を制御するための制御信号ＣＴをデータ処理回路３４２に出力し、後述のタイミング制御回路３４５にソーススタートパルス信号ＳＳＰと、ソースクロック信号ＳＣＫとを出力する。
【００７３】
データ処理回路３４２は、デジタルビデオ信号ＤＶを階調データを含むデジタル映像信号ＤＡに変換し、ソースドライバ１２１〜１２６とラインメモリ３４３に出力する。ラインメモリ３４３は、２つのラインメモリ３４３ａ、３４３ｂによって構成され、各ラインメモリ３４３ａ、３４３ｂはそれぞれ１水平走査期間のデジタル映像信号ＤＡを格納することができる。２つのラインメモリ３４３ａ、３４３ｂのうち、いずれか一方のラインメモリは１水平走査期間のデジタル映像信号ＤＡを順次格納し、１水平走査期間のデジタル映像信号ＤＡの格納が終わると、格納されたデジタル映像信号ＤＡを極性切替制御回路３４４に転送する。このとき同時に、他方のラインメモリは次の１水平走査期間のデジタル映像信号ＤＡの格納を開始する。このように、２つのラインメモリ３４３ａ、３４３ｂにデジタル映像信号ＤＡを交互に格納することによって、デジタル映像信号ＤＡに含まれる階調データの出現頻度を１水平走査線期間ごとに求めることができる。
【００７４】
極性切替制御回路３４４は、各ソースドライバ１２１〜１２６にそれぞれ出力される１水平走査期間のデジタル映像信号について、各ソースドライバ１２１〜１２６ごとに、６４階調の階調ごとの階調データの出現頻度を求める。その結果、出現頻度が５０％以上の階調データがあると、極性切替制御回路３４４は、タイミング制御回路３４５にハイレベルのタイミング設定信号ＳＥＴを出力し、すべての階調データの出現頻度が５０％未満である場合にはローレベルのタイミング設定信号ＳＥＴを出力する。なお、出現頻度の５０％は一例であり、極性切替制御回路３４４に内蔵されたレジスタ３４４ａにあらかじめ基準となる出現頻度を格納しておき、その出現頻度に基づいてタイミング設定信号ＳＥＴを切り替えてもよい。
【００７５】
タイミング制御回路３４５は、与えられたタイミング設定信号ＳＥＴがハイレベルの場合、ＴＦＴ１１２がオフ状態になるときに、その出力がローレベルに反転する極性切替制御信号ＲＥＶを生成して、ソースドライバ１２１〜１２６と共通電極駆動回路１５０に出力する。一方、タイミング設定信号ＳＥＴがローレベルの場合、ローレベルに反転するタイミングを変更することなく極性切替制御信号ＲＥＶを生成して、ソースドライバ１２１〜１２６と共通電極駆動回路１５０とに出力する。なお、ＴＦＴ１１２がオフ状態になってから所定時間が経過したときに、ローレベルに反転する極性切替制御信号ＲＥＶを生成して、ソースドライバ１２１〜１２６と共通電極駆動回路１５０に出力してもよい。タイミング制御回路３４５にはレジスタ３４５ａが内蔵されているので、この所定時間をあらかじめレジスタ３４５ａに格納しておき、格納された時間を適宜変更してもよい。
【００７６】
＜２．３  効果＞
図１７は、極性切替制御信号ＲＥＶがローレベルに反転するタイミングを変えた場合の駆動用映像信号ＡＶの輝度の変化を示すグラフである。図１７に示すように、−３０℃のような低温の環境下において、極性切替制御信号ＲＥＶが出力されるタイミングを０．５μｓだけ早くした場合よりも、１．６６μｓだけ早くした場合の方が、Ｌ１３階調、Ｌ１４階調、Ｌ１５階調において、輝度反転したすじの発生が抑制されていることがわかる。
【００７７】
このように、１水平走査期間の階調データの中に出現頻度が５０％以上の階調データが含まれている場合、輝度反転したすじやブロック別れが生じる。しかし、極性切替制御信号ＲＥＶを通常のタイミングよりも所定時間だけ早く出力することによって、多出力のソースドライバで交流駆動した場合に発生する輝度反転したすじやブロック別れの発生を抑制することができる。
【００７８】
＜２．４  変形例＞
本実施形態では、極性切替制御信号ＲＥＶによって１ゲートバスラインごとに駆動用映像信号ＡＶの極性を反転させたが、２行ごと、３行ごとなど複数行ごとに駆動用映像信号ＡＶの極性を反転させてもよい。この場合、各ラインメモリ３４３ａ、３４３ｂは複数の水平期間分のデジタル映像信号ＤＡを格納することができるようにメモリ容量を大きくしておく必要がある。また、極性切替制御回路３４４は、ラインメモリ３４３ａ、３４３ｂから与えられた複数行ごとのデジタル映像信号ＤＡについて、出現頻度が５０％以上の階調データがあるか否かを求め、その結果に応じて本実施形態の場合と同様にタイミング制御回路３４５にタイミング設定信号ＳＥＴを出力する。この変形例の効果は、本実施形態の効果と同じである。
【００７９】
また、本実施形態では、対向ＡＣ駆動によって線順次駆動する場合について説明したが、対向ＤＣ駆動によって線順次駆動を行う場合にも表示制御回路３４０を使用することによって、本実施形態の効果と同じ効果を生じさせることができる。
【００８０】
＜３．  第２の実施形態＞
＜３．１  全体構成＞
図１８は、本発明の第２の実施形態に係る液晶表示装置４００の構成を示すブロック図である。液晶表示装置４００は、液晶表示装置１００の表示制御回路１４０を表示制御回路４４０に置換したことを除いて、液晶表示装置１００の構成と同じである。このため、液晶表示装置１００の構成要素と同じ構成要素については、同じ参照符号を付してその説明を省略する。また、この液晶表示装置４００も対向ＡＣ駆動により線順次駆動されるので、その駆動方法は液晶表示装置１００の駆動方法と同じである。このため、タイミングチャートも省略する。
【００８１】
＜３．２  表示制御回路＞
図１９は、本実施形態に係る表示制御回路４４０の構成を示すブロック図である。表示制御回路４４０のうち第１の実施形態に係る表示制御回路３４０と同じ構成要素については同じ参照符号を付し、その説明を省略する。図１９に示すように、この表示制御回路４４０では、表示制御回路３４０のラインメモリ３４３ａ、３４３ｂと、極性切替制御回路３４４とがカウンタ４４３に、タイミング制御回路３４５がタイミング制御回路４４５にそれぞれ置換されている。
【００８２】
データ処理回路３４２によって変換されたデジタル映像信号ＤＡは、ソースドライバ１２１〜１２６とカウンタ４４３に出力される。カウンタ４４３は、データ処理回路２４２から出力された１水平走査期間のデジタル映像信号ＤＡを順次取り込み、取り込んだデジタル映像信号ＤＡに含まれる階調データを階調ごとにカウントする。そして、階調ごとの階調データのカウント数をタイミング制御回路４４５に出力する。
【００８３】
タイミング制御回路４４５は、階調ごとに階調データの出現頻度を求め、あらかじめレジスタ４４５ａに記憶させておいた複数の時間の中から、求めた出現頻度のうち最大の出現頻度に応じた時間を選択する。そして、選択した時間だけ通常のタイミングよりも早くローレベルに反転する極性切替制御信号ＲＥＶを生成して、ソースドライバ１２１〜１２６と共通電極駆動回路１５０とに出力する。なお、タイミング制御回路４４５はレジスタ４４５ａを内蔵しているので、最大の出現頻度に応じた複数の時間をレジスタ４４５ａにあらかじめ格納しておき、格納された時間に適宜変更してもよい。
【００８４】
＜３．３  効果＞
第１の実施形態と同様に、極性切替制御信号ＲＥＶを通常のタイミングよりも最大の出力頻度に応じて選択された時間だけ早く反転させることによって、多出力のソースドライバで交流駆動した場合に発生する輝度反転したすじやブロック別れの発生を抑制することができる。また、出現頻度に応じて極性切替制御信号ＲＥＶがローレベルに反転するタイミングを調整することができるので、同じ階調の階調データのカウント数に応じて輝度差を調整することができる。
【００８５】
＜３．４  変形例＞
本実施形態では、極性切替制御信号ＲＥＶによって１ゲートバスラインごとに駆動用映像信号ＡＶの極性が反転するようにした。しかし、第１の実施形態の変形例の場合と同様に、２行ごと、３行ごとなど複数行ごとに駆動用映像信号ＡＶの極性が反転するようにしてもよい。この場合、カウンタ４４３は複数の水平期間分のデジタル映像信号ＤＡを格納することができるようにメモリ容量を大きくしておく必要がある。この変形例の効果は、本実施形態の効果と同じである。
【００８６】
また、本実施形態では、対向ＡＣ駆動によって線順次駆動する場合について説明したが、対向ＤＣ駆動によって線順次駆動を行う場合にも表示制御回路４４０を使用することによって、本実施形態の効果と同じ効果を生じさせることができる。
【図面の簡単な説明】
【００８７】
【図１】基礎検討に使用した対向ＡＣ駆動の液晶表示装置の構成を示すブロック図である。
【図２】図１に示す液晶表示装置を対向ＡＣ駆動によって線順次駆動する場合のタイミングチャートである。
【図３】図１の液晶表示装置のソースドライバに含まれている、駆動用映像信号生成回路の回路図である。
【図４】図３の駆動用映像信号生成回路において、スイッチの接続を変えた場合の回路図である。
【図５】図３の駆動用映像信号生成回路で極性切替制御信号を反転させたときの駆動用映像信号の電圧の上昇を示す図である。
【図６】図４に示す駆動用映像信号生成回路で極性切替制御信号を反転させたときの駆動用映像信号の電圧の上昇を示す図である。
【図７】同じ階調電圧配線に接続されたソースバスラインの出現頻度ごとに、駆動用映像信号の電圧が目標電圧になるまでの駆動用映像信号ＡＶの波形を示す図である。
【図８】図３の駆動用映像信号生成回路の１水平走査期間における極性切替制御信号を反転するタイミングとＴＦＴのゲート端子に印加される走査信号との関係を示す信号波形図である。
【図９】図３の駆動用映像信号生成回路の１水平走査期間における極性切替制御信号を反転するタイミングとＴＦＴのゲート端子に印加する走査信号の波形との他の関係を示す信号波形図である。
【図１０】基礎検討に使用した対向ＤＣ駆動の液晶表示装置の構成を示すブロック図である。
【図１１】図１０の液晶表示装置を対向ＤＣ駆動によって線順次駆動する場合のタイミングチャートである。
【図１２】図１０の液晶表示装置のソースドライバに含まれている、駆動用映像信号生成回路の回路図である。
【図１３】図１２の駆動用映像信号生成回路の１水平走査期間における極性切替制御信号を反転するタイミングとＴＦＴのゲート端子に印加される走査信号との関係を示す信号波形図である。
【図１４】図１２の駆動用映像信号生成回路の１水平走査期間における極性切替制御信号を反転するタイミングとＴＦＴのゲート端子に印加される走査信号との他の関係を示す信号波形図である。
【図１５】本発明の第１の実施形態に係る液晶表示装置の構成を示すブロック図である。
【図１６】図１５の液晶表示装置に含まれる本実施形態に係る表示制御回路の構成を示すブロック図である。
【図１７】極性切替制御信号がローレベルに反転するタイミングを変えた場合の駆動用映像信号の輝度の変化を示すグラフである。
【図１８】本発明の第２の実施形態に係る液晶表示装置の構成を示すブロック図である。
【図１９】図１８の液晶表示装置に含まれる本実施形態に係る表示制御回路の構成を示すブロック図である。
【図２０】ＦＲＣによって中間的な階調を作り出し、液晶パネルに縦グラデーションを表示する方法を示す図である。
【図２１】液晶パネルに縦グラデーションを表示させた図である。
【図２２】ＦＲＣによって縦グラデーション表示をしたときの映像の輝度の変化を表すグラフである。
【図２３】液晶パネルにウインドウパターンを表示させた図である。
【符号の説明】
【００８８】
１００、２００、３００、４００…液晶表示装置
１１０…液晶パネル
１１１…画素形成部
１１２…ＴＦＴ
１２０、２２０…駆動用映像信号生成回路
１２１〜１２６、２２１〜２２６…ソースドライバ
１３０…ゲートドライバ
１４０、２４０、３４０、４４０…表示制御回路
１５０、２５０…共通電極駆動回路
２４３…ラインメモリ
３４４…極性切替制御回路
３４４ａ、３４５ａ、３４５ａ…レジスタ
３４５、４４５…タイミング制御回路
４４３…カウンタ
【図１】
2009216813.tif 000003
【図２】
2009216813.tif 000004
【図３】
2009216813.tif 000005
【図４】
2009216813.tif 000006
【図５】
2009216813.tif 000007
【図６】
2009216813.tif 000008
【図７】
2009216813.tif 000009
【図８】
2009216813.tif 000010
【図９】
2009216813.tif 000011
【図１０】
2009216813.tif 000012
【図１１】
2009216813.tif 000013
【図１２】
2009216813.tif 000014
【図１３】
2009216813.tif 000015
【図１４】
2009216813.tif 000016
【図１５】
2009216813.tif 000017
【図１６】
2009216813.tif 000018
【図１７】
2009216813.tif 000019
【図１８】
2009216813.tif 000020
【図１９】
2009216813.tif 000021
【図２０】
2009216813.tif 000022
【図２１】
2009216813.tif 000023
【図２２】
2009216813.tif 000024
【図２３】
2009216813.tif 000025